(57)【要約】【課題】哺乳瓶に乳首を装着する際に乳首に手が触れないようにする。【解決手段】哺乳瓶の補助具１は、可撓性がある本体１０と本体１０の一方の側部１１に連設された可撓性がある第１の張り出し片２０と本体１０の他方の側部１２に連設された可撓性がある第２の張り出し片３０とを具備している。本体１０は哺乳瓶４０に装着する乳首５０を覆うことができ、乳首５０を哺乳瓶４０の蓋４２の孔４３に入れる際に、本体１０と第１の張り出し片２０との間に第１の指を入れ、本体１０と第２の張り出し片３０との間に第２の指を入れた状態で、第１および第２の指により乳首５０の縁５１を保持することがでる。さらに、蓋４２の孔４３に入れた乳首５０の乳頭部５２を指で摘んで引っ張って、蓋４２の孔４３に乳首５０を装着する際に、乳首５０の乳頭部５２を本体１０で覆って本体１０を介して乳首５０の乳頭部５２を指で保持して引っ張ることができる。【選択図】図１
2008264044.tif 000002
【特許請求の範囲】
【請求項１】
可撓性がある本体と前記本体の一方の側部に連設された可撓性がある第１の張り出し片と前記本体の他方の側部に連設された可撓性がある第２の張り出し片とを具備し、
前記乳首の乳頭部を前記哺乳瓶の蓋の孔に入れる際に、前記本体と前記第１の張り出し片との間に手の第１の指を置き、前記本体と前記第２の張り出し片との間に手の第２の指を置いた状態で、前記第１および第２の指により前記乳首の縁を保持することができ、
さらに、前記哺乳瓶の蓋の孔に入れた前記乳首の乳頭部を手の指で引っ張って、前記哺乳瓶の蓋の孔に前記乳首を装着する際に、前記乳首の乳頭部を前記本体で覆って前記本体を介して前記乳首の乳頭部を手の指で引っ張ることができることを特徴とする哺乳瓶の補助具。
【請求項２】
請求項１に記載された哺乳瓶の補助具であって、
本体の内部は空洞であり、その底面が開口し、開口面の縁が楕円形であり、この楕円形の短軸の一方の端に第１の張り出し片が連設され、前記短軸の他方の端に第２の張り出し片が連設されていることを特徴とする哺乳瓶の補助具。
【請求項３】
請求項１または２に記載の哺乳瓶の補助具であって、
本体、第１の張り出し片および第２の張り出し片が合成樹脂で一体に成形されていることを特徴とする哺乳瓶の補助具。
【発明の詳細な説明】
【技術分野】
【０００１】
本発明は、哺乳瓶に乳首を装着する際に乳首に手が触れないようにすることができる哺乳瓶の補助具である。
【背景技術】
【０００２】
従来、哺乳瓶に乳首を装着して使用している（例えば特許文献１参照）。乳首は、乳児がミルクを飲む際に口にくわえるものであるので、哺乳瓶に装着する前に乳首は消毒されている。
【特許文献１】特開平６−３０４２３１号公報
【発明の開示】
【発明が解決しようとする課題】
【０００３】
しかし、上述の従来例では、乳首を手で持って哺乳瓶に装着する場合がほとんどであるので、手に付着した細菌、かびなどの有害なばい菌が乳首に付着することになり、この乳首を口にくわえた乳児に害を与える原因となるおそれがある。
そこで、本発明が解決しようとする課題は、哺乳瓶に乳首を装着する際に乳首に手が触れないようにすることができる哺乳瓶の補助具を提供することである。
【課題を解決するための手段】
【０００４】
上記課題を解決するため、請求項１記載の発明は、可撓性がある本体と前記本体の一方の側部に連設された可撓性がある第１の張り出し片と前記本体の他方の側部に連設された可撓性がある第２の張り出し片とを具備し、前記乳首の乳頭部を前記哺乳瓶の蓋の孔に入れる際に、前記本体と前記第１の張り出し片との間に手の第１の指を置き、前記本体と前記第２の張り出し片との間に手の第２の指を置いた状態で、前記第１および第２の指により前記乳首の縁を保持することができ、さらに、前記哺乳瓶の蓋の孔に入れた前記乳首の乳頭部を手の指で引っ張って、前記哺乳瓶の蓋の孔に前記乳首を装着する際に、前記乳首の乳頭部を前記本体で覆って前記本体を介して前記乳首の乳頭部を手の指で引っ張ることができることを特徴とする哺乳瓶の補助具である。
請求項１記載の発明により、乳首の乳頭部を哺乳瓶の蓋の孔に入れる際に、可撓性がある本体と可撓性がある第１の張り出し片との間に手の第１の指を置き、前記本体と可撓性がある第２の張り出し片との間に手の第２の指を置いた状態で、前記第１および第２の指により乳首の縁を保持することができるので、前記第１および第２の指が乳首に接触しないようにして乳首の乳頭部を哺乳瓶の蓋の孔に入れることができる。
さらに、哺乳瓶の蓋の孔に入れた乳首の乳頭部を手の指で引っ張って、哺乳瓶の蓋の孔に乳首を装着する際に、乳首の乳頭部を前記本体で覆って前記本体を介して前記乳首の乳頭部を手の指で引っ張ることができるので、前記第１および第２の指が乳首に接触しないようにして乳首を哺乳瓶の蓋の孔に装着することができる。
【０００５】
さらに、請求項２記載の発明は、請求項１に記載された哺乳瓶の補助具であって、本体の内部は空洞であり、その底面が開口し、開口面の縁が楕円形であり、この楕円形の短軸の一方の端に第１の張り出し片が連設され、前記短軸の他方の端に第２の張り出し片が連設されていることを特徴とする哺乳瓶の補助具である。
請求項２記載の発明により、本体は、その内部が空洞で、本体の底面が開口面であるので、乳首を覆うことができる。そして、開口面の縁が楕円形であり、この楕円形の短軸の一方の端に第１の張り出し片が連設され、前記短軸の他方の端に第２の張り出し片が連設されているので、第１の張り出し片から第２の張り出し片までの長さが前記楕円の長軸と同じ程度にすることができる。
【０００６】
さらに、請求項３記載の発明は、請求項１または２に記載の哺乳瓶の補助具であって、本体、第１の張り出し片および第２の張り出し片が合成樹脂で一体に成形されていることを特徴とする哺乳瓶の補助具である。
請求項３記載の発明により、本体、第１の張り出し片および第２の張り出し片が合成樹脂で一体に成形されているので、本体、第１の張り出し片および第２の張り出し片を形成することが容易である。
【発明の効果】
【０００７】
請求項１記載の発明に係わる哺乳瓶の補助具によれば、乳首を哺乳瓶の蓋に手で装着するときに、手が乳首に触れないようにすることができる。
さらに、請求項２記載の発明によれば、哺乳瓶の補助具を使用しないときに、哺乳瓶の補助具を乳首に被せて、さらに、哺乳瓶の補助具にカバーを被せることが容易になる。
さらに、請求項３記載の発明によれば、請求項１または２記載の発明の効果とともに、哺乳瓶の補助具を容易に製造することができる。
【発明を実施するための最良の形態】
【０００８】
以下、本発明における実施の形態を図面に基づいて説明する。
図１は本発明の実施の形態に係わる哺乳瓶の補助具の正面を示し、図２は図１の哺乳瓶の補助具の平面を示し、図３は図１の哺乳瓶の補助具の底面を示し、図４は図１の哺乳瓶の補助具の第１の使用状態を示し、図５は図１の哺乳瓶の補助具の第２の使用状態を示し、図６は図１の哺乳瓶の補助具を哺乳瓶に収納した状態を示す。
【０００９】
図１および図２に示すように、哺乳瓶の補助具１は、可撓性がある本体１０と本体１０の一方の側部１１に連設された可撓性がある第１の張り出し片２０と本体１０の他方の側部１２に連設された可撓性がある第２の張り出し片３０とを具備している。
具体的には、一方の側部１１の下端部に第１の張り出し片２０の基部２１が連設され、第１の張り出し片２０の先端部２２は一方の側部１１に沿って配置されている。また、他方の側部１２の下端部に第２の張り出し片３０の基部３１が連設され、第２の張り出し片３０の先端部３２は他方の側部１２に沿って配置されている。
【００１０】
そして、図４に示すように、乳首５０の乳頭部５２を哺乳瓶４０（図６参照）の開口部４１の蓋４３の内側から蓋４３の孔４４（図６参照）に入れる際に、本体１０と第１の張り出し片２０との間に手の第１の指６１（例えば親指）を置き、本体１０と第２の張り出し片３０との間に手の第２の指（例えば人差し指）６２を置いた状態で、本体１０を押しつぶして、第１および第２の指６１、６２により乳首５０の縁５１を保持することがでる。
さらに、図５に示すように、上述のようにして哺乳瓶４０の蓋４３の孔４４に入れた乳首５０の乳頭部５２を第１および第２の指６１、６２で摘んで引っ張って、哺乳瓶４０の蓋４３の孔４４に乳首５０を装着する際に、乳首５０の乳頭部５２を本体１０で覆って本体１０を介して乳首５０の乳頭部５２を指６１、６２で保持して引っ張ることができる。
【００１１】
なお、図３に示すように、本体１０の内部は空洞１３であり、その底面が開口面１４であり、開口面１４の縁１５が楕円形であり、この楕円形の短軸１６の一方の端１６ａに第１の張り出し片２０が連設され、短軸１６の他方の端１６ｂに第２の張り出し片３０が連設されている。
さらに、本体１０、第１の張り出し片２０および第２の張り出し片３０がシリコーンゴム等の合成樹脂で一体に成形されている。
【００１２】
さらに、図６に示すように、乳首５０を覆うカバー４７が蓋４３に嵌合するように配置されている。具体的には、哺乳瓶の補助具１を使用しないときは、蓋４３の孔４４に装着した乳首５０を本体１０の空洞１３（図３参照）の中に入れて、本体１０で乳首５０を覆うようにする。さらに、哺乳瓶の補助具１全体をカバー４７で覆うように蓋４３にカバー４７を装着する。その際、乳首５０の溝部５３が蓋４３の孔４４に嵌合する。また、蓋４３のフランジ部４６上にカバー４７の下端部が当接する。
なお、蓋４３は哺乳瓶４０の開口部４１を開閉するものであり、哺乳瓶４０の開口部４１の縁の雄ネジ４２に蓋４３の雌ネジ４５が螺合する。
【００１３】
以上の構成の哺乳瓶の補助具１は、以下の働きをする。
すなわち、乳首５０の乳頭部５２を哺乳瓶４０の蓋４３の孔４４に入れる際に、補助具１の可撓性がある本体１０と可撓性がある第１の張り出し片２０との間に手の第１の指６１を置き、本体１０と可撓性がある第２の張り出し片３０との間に手の第２の指６２を置いた状態で、第１および第２の指６１、６２により乳首５０の縁５１を保持することができるので、第１および第２の指６１、６２が乳首５０に接触しないようにして乳首５０の乳頭部５２を哺乳瓶４０の蓋４３の孔４４に入れることができる。
さらに、哺乳瓶４０の蓋４３の孔４４に入れた乳首５０の乳頭部５２を手の指（６１、６２等）で引っ張って、蓋４３の孔４４に乳首５０を装着する際に、乳首５０の乳頭部５２を本体１０で覆って本体１０を介して乳首５０の乳頭部５２を手の指（６１、６２等）で引っ張ることができるので、手の指（６１、６２等）が乳首５０に接触しないようにして乳首５０を哺乳瓶４０の蓋４３の孔４４に装着することができる。
【００１４】
さらに、本体１０は、その内部が空洞１３で、本体１０の底面が開口面１４であるので、乳首５０を覆うことができる。そして、開口面１４の縁１５が楕円形であり、この楕円形の短軸１６の一方の端１６ａに第１の張り出し片２０が連設され、短軸１６の他方の端１６ｂに第２の張り出し片３０が連設されているので、第１の張り出し片２０から第２の張り出し片３０までの長さが前記楕円の長軸と同じ程度にすることができる。
【００１５】
さらに、本体１０、第１の張り出し片２０および第２の張り出し片３０がシリコーンゴム等の合成樹脂で一体に成形されているので、本体１０、第１の張り出し片２０および第２の張り出し片３０を形成することが容易である。
【００１６】
なお、上記実施の形態において、本体１０の形状は図示されたものに限定されず、たとえば、筒状で、筒の一端となる上端が閉じて、筒の他端となる底面が開口している形状であってもよい。
また、哺乳瓶の補助具１の材質は、合成樹脂に限らず、天然ゴム等でもよい。
さらに、哺乳瓶の補助具１の消毒方法に関しては、哺乳瓶等と同様で、消毒液・煮沸・電子レンジのいずれも可能であり、かつ、哺乳瓶等と同時に消毒することができるという利点もあるので、経済的である。
【図面の簡単な説明】
【００１７】
【図１】本発明の実施の形態に係わる哺乳瓶の補助具の正面図である。
【図２】図１の哺乳瓶の補助具の平面図である。
【図３】図１の哺乳瓶の補助具の底面図である。
【図４】図１の哺乳瓶の補助具の第１の使用状態を示す説明図である。
【図５】図１の哺乳瓶の補助具の第２の使用状態を示す説明図である。
【図６】図１の哺乳瓶の補助具を哺乳瓶に収納した状態を示す断面図である。
【符号の説明】
【００１８】
１  補助具
１０  本体
１１  一方の側部
１２  他方の側部
１３  空洞
１４  開口面
１５  縁
１６  短軸
１６ａ  一方の端
１６ｂ  他方の端
２０  第１の張り出し片
３０  第２の張り出し片
４０  哺乳瓶
４３  蓋
４４  孔
５０  乳首
５１  縁
５２  乳頭部
６１  第１の指
６２  第２の指
【図１】
2008264044.tif 000003
【図２】
2008264044.tif 000004
【図３】
2008264044.tif 000005
【図４】
2008264044.tif 000006
【図５】
2008264044.tif 000007
【図６】
2008264044.tif 000008